Podtech/llm-jp-corpus-v4-ja_patent huggingface dataset:
(57)【要約】【課題】    従来技術に係る洋式トイレ用便器は、便器の最上部、すなわち便座の当たる部分が平らになっているために、男性が洋式トイレでしゃがんで小用をする時の排尿の軌道がまかり間違うと便器の淵に当たり、飛散して下着やズボンまたは床を汚してしまうため、男子の一物を手で押えて修正したりしなくてはならず、手元が狂うと手にも尿の飛散が当たることがある。【解決手段】上述の目的を達成する本発明の洋式トイレ便器は、便器の最上部の先端部を盛り上げることによって、男性が洋式トイレでしゃがんで小用をする時でも便器の淵に排尿が当たることがなく、手で一物を押えることもなくなり、また下着やズボン、床を汚すことなく用を足すことができることを特徴とする。【選択図】図１
2008274727.tif 000002
【特許請求の範囲】
【請求項１】
洋式便器本体の最上部の先端付近に盛り上がりを設け、男性が洋式トイレでしゃがんで小用を足す時の排尿の飛散防止を備えたことを特徴とする飛散防止用洋式便器。
【請求項２】
請求項１記載の飛散防止用洋式便器において、洋式便器本体の最上部を先端部から左右に各々円周上４分の１以内の範囲において、先端部を１０〜１００ｍｍの範囲に盛り上げたことを特徴とする飛散防止用洋式便器。
【発明の詳細な説明】
【技術分野】
【０００１】  本発明は、男性が洋式トイレでしゃがんで小用する時に、排尿の飛散を防ぐ飛散防止用洋式便器に関する。
【背景技術】
【０００２】  従来、男性が洋式トイレでしゃがんで小用をする時に、誤って便器先端の淵に当てて飛散させてしまい下着やズボン、床を汚してしまうことがある。
【発明の開示】
【発明が解決しようとする課題】
【０００３】  上述の如く、従来技術に係る洋式トイレ用便器は、便器の最上部、すなわち便座の当たる部分が平らになっているために、男性が洋式トイレでしゃがんで小用をする時の排尿の軌道がまかり間違うと便器の淵に当たり、飛散して下着やズボンまたは床を汚してしまうため、男子の一物を手で押えて修正したりしなくてはならず、手元が狂うと手にも尿の飛散が当たることがある。
【課題を解決するための手段】
【０００４】  上述の目的を達成する本発明の洋式トイレ便器は、便器の最上部の先端部を盛り上げることによって、男性が洋式トイレでしゃがんで小用をする時でも便器の淵に排尿が当たることがなく、手で一物を押えることもなくなり、また下着やズボン、床を汚すことなく用を足すことができることを特徴とする。
【発明の効果】
【０００５】  以上説明したように本発明によれば、男性が洋式トイレでしゃがんで小用をする時でも便器の淵に排尿が当たることなく、また手で一物を押えることなく用を足すことができるため、下着やズボン、床を汚すことがなくなることに極めて有効である。
【発明を実施するための最良の形態】
【０００６】  以下に本発明の実施の形態を図面に基づき詳細に説明する。本実施形態に係る飛散防止用洋式便器の外観斜視図を図１、図１のＡ−Ａ部の部分断面図を図２、図１の矢視Ｘからの正面図を図３に示す。【０００７】  図１〜図３に見られるように、洋式便器本体１の最上部３を先端部２から左右に各々円周上４分の１以内の範囲において、先端部２を１０〜１００ｍｍの範囲に盛り上げたものである。【０００８】  この先端部２の盛り上げによって、男性が洋式トイレでしゃがんで小用をする時でも便器の淵に排尿が当たることなく用を足すことができるようになる。
【産業上の利用可能性】
【０００９】  本発明は洋式トイレ用便器を製造、販売する産業分野で利用することができる。
【図面の簡単な説明】
【００１０】
【図１】  本発明の第１の実施の形態に係る飛散防止用洋式便器の外観斜視図である。
【図２】  図１の飛散防止用洋式便器のＡ−Ａ部の部分断面図である。
【図３】  図１の飛散防止用洋式便器の矢視Ｘからの正面図である。
【符号の説明】
１：洋式便器本体
２：先端部
３：便器最上部
【図１】
2008274727.tif 000003
【図２】
2008274727.tif 000004
【図３】
2008274727.tif 000005
(57)【要約】【目的】  本発明は脱着式の据え置き便座をドアの指定の場所に掛けると便座の自重でロックが解錠して外に出られるドアのロックが付いた公衆トイレを提供する。【構成】  取り付けピンの抜き差しによって便器に着脱可能に形成された便座を備えた洋式トイレと、前記取り付けピンを掛着するハンガーに連動してドアの鍵が解錠するように形成された施錠機構を内蔵したドアを備えたことを特徴とする公衆トイレ。【選択図】図３
2008274722.tif 000002
【特許請求の範囲】
【請求項１】
取り付けピンの抜き差しによって便器に着脱可能に形成された便座を備えた洋式トイレと、前記取り付けピンを掛着するハンガーに連動してドアの鍵が解錠するように形成された施錠機構を内蔵したドアを備えたことを特徴とする公衆トイレ。
【発明の詳細な説明】
【技術分野】
【０００１】  本発明は、取り付けピンの抜き差しによって便器に着脱可能に形成された便座を備えた洋式トイレと、前記取り付けピンを掛着するハンガーに連動してドアの鍵が解錠するように形成された施錠機構を内蔵したドアを備えたことが特徴で、脱着式の据え置き便座をドアの指定の場所に掛けると便座の自重でロックが解錠して、外に出られるドアのロックが付いた公衆トイレに関するものである。
【背景技術】
【０００２】  従来、公衆トイレの錠はドアのノブに内蔵したものとスライド式の錠前があった。
【発明の開示】
【発明が解決しようとする課題】
【０００３】  そのために、次のような問題があった。
公衆トイレの錠はドアをロックするだけのものである。
本発明はドアのロックにリンケージ機構を付加した公衆トイレである。
公衆トイレの長い行列は、男性トイレには見られない。
通常、男女の小用時間は同じである。
この原因は、便座を拭き掃除する作業があり、家庭での延長線上で便座に座り、ちょっと一息してくつろぐ習性がある。
これを正面から論ずると女性差別につながり大いなる争になる。
トイレを使用する時間は、劇場、学校の休憩時間に集中する、高速道路のＳＡ（サービスエリア）に女性団体のバスが何台も連らなると、時間に追われ男性トイレになだれ込むことがある。
はなから便座を使用しないで中腰で立小便をする女性と、便座の使用をちゅうちょする女性は合わせると半数以上いる。
本発明はあえてわずらわしい作業を嫌うようにした装置で全員に立小便を選択させる。
これで使用する時間が短縮され、回転率は上り行列は少なくなる。
【課題を解決するための手段】
【０００４】  取り付けピンの抜き差しによって便器に着脱可能に形成された便座を備えた洋式トイレと、前記取り付けピンを掛着するハンガーに連動してドアの鍵が解錠するように形成された施錠機構を内蔵したドアを備えたことを特徴とする公衆トイレ。
【発明の効果】
【０００５】  従来、洋式トイレで小用をするとき、両足を前方に揃えて置き便座に座る。
本発明は便座を使用せず中腰で小用をすると上体重心を安定に支えるため必然と大股に開脚するので尿圧が高く、小用の時間は短く局部を汚す面積も少なく、清潔である。
トイレットペーパーの使用も少なく、水洗の水量も減少した環境に優しい設計である。
【発明を実施するための最良の形態】
【０００６】  以下、本発明の実施の形態について説明する。
（イ）洋式トイレの便座（１）の後部に形成した突出部（１ａ）に、便器（２）上面に穿設した取り付け穴（２ａ）に着脱可能にピン（１ｂ）を設ける。
（ロ）ドアの外板１０内面に取り付け金具（１３）を取り付け、ピン（１ｂ）を引っ掛けるハンガーＡ（５）ハンガーＢ（６）を左右に配置し、支点ピン（１２）で固定する。
（ハ）ハンガーＡ（５）に連結棒（７）と、連結棒７にトリガー（９）を連結し、トリガー（９）をノブ（８）へ連結する。
（ニ）ハンガーＡ（５）とハンガーＢ（６）は、その形状が、便座（１）を外したときはハの字状で、便座（１）のピン（１ｂ）を引っ掛けると逆ハの字になるようにバネ（１４）を取り付け金具（１３）に連結する。
（ホ）ハンガーＡ（５）とハンガーＢ（６）に掛けた便座（１）の自重でハンガーＡ（５）とハンガーＢ（６）が下がり、連結された連結棒（７）が連動し、ノブ（８）に取り付けたトリガー（９）が引かれロックが開錠されるようにセットする。
（ヘ）ハンガーＡ（５）とハンガーＢ（６）に引っ掛けたピン（１ｂ）がドアに干渉しないように、内板（１１）に長穴（４）を設ける。
（ト）長穴（４）の上部には矢印ガイド（３）と、内板（１１）外面には、便座を掛けた状態で、開口部に位置するように説明書を貼着する。
本発明は以上の構成からなっている。
本発明を使用するときは、ドアの指定の場所に便座を掛けている状態でノブを回すと止め金具（１６）が引込み外に出られる
便座を便器にセットした場合止め金具（１６）が突出した状態で固定するので外に出られない。
使用者は外に出るため便座をドアの指定の場所に掛けることを強制する。
【図面の簡単な説明】
【０００７】
【図１】  本発明の公衆トイレの便座と便器の斜視図である。
【図２】  本発明の公衆トイレの内側からドアを見た状態を示した斜視図である。
【図３】  本発明の公衆トイレに便座を掛けた状態を示した説明図である。
【図４】  本発明の公衆トイレのドアから便座を外した状態を示した説明図である。
【符号の説明】
【０００８】  １    便座
１ａ  突出部
１ｂ  ピン
２    便器
２ａ  取り付け穴
３    矢印ガイド
４    長穴
５    ハンガーＡ
６    ハンガーＢ
７    連結棒
８    ノブ
９    トリガー
１０    外板
１１    内板
１２    支点ピン
１３    取り付け金具
１４    バネ
１５    説明書
１６    止め金具
【図１】
2008274722.tif 000003
【図２】
2008274722.tif 000004
【図３】
2008274722.tif 000005
【図４】
2008274722.tif 000006
(57)【要約】【課題】完全な冷暖房の効果を得るための、室内でペットが自由に出入り出来るように支柱又は、引き戸や襖等に取り付け、取り外しが容易に出来るようペット用ドアを提供する。【解決手段】  取り付け板の左右任意の面に、粘着テープを設け、取り付け板の粘着テープを付した反対側の面に複数の差込孔を設け、本体の任意の箇所に切り込みを設け、高さ調整板を差し込む、取り付け板の差込孔の位置に合う状態で、本体の任意の箇所に複数の差込フックを設け、本体の任意の箇所に、開閉用具を付して開閉ドアを設け、本体に高さを調整する伸縮孔を設け、高さ調整板の任意の箇所に調整板孔を設け、本体の伸縮孔と高さ調整板の調整孔を連体させる伸縮板固定具を設け、引き戸用に取り付けして、ペットが自由に通過できるペット用ドアパネル。【選択図】図５
2008274721.tif 000002
【特許請求の範囲】
【請求項１】
取り付け板の左右任意の面に粘着テープを設け、取り付け板の粘着テープを付した反対側の面に複数の差込孔を設け、本体の任意の箇所に切り込みを設け高さ調整板を差し込み自在とし、取り付け板の差込孔の位置に合う状態で本体の任意の箇所に複数の差込フックを設け、本体の任意の箇所に蝶番等を付して開閉ドアを設け、本体に高さを調整する伸縮孔を設け、高さ調整板の任意の箇所に調整板孔を設け、本体の伸縮孔と高さ調整板の調整孔を連帯させる伸縮板固定具を設け、引き戸用に取り付けして、ペットが自由に通過できるペット用ドアパネル。
【発明の詳細な説明】
【技術の分野】
【０００１】本発明は、引き戸、又は支柱につけてペットが自由に通過するパネルに関するものである。
【背景技術】
【０００２】従来、ドアや引き戸等工具等で刳り抜いてからペットドアをはめ込む方法や、カベ等を刳り抜いてはめ込む方法があった。
【発明の開示】
【発明が解決しようとする課題】
【０００３】そのために、次のような問題点があった。
（イ）この方法では特に、引き戸や襖等は壊す事になり体裁も良くない。
（ロ）賃貸住宅や賃貸マンション等は退去時修復できない。
本発明は、これらの問題点を解決するためになされたものである。
【問題を解決するための手段】
【０００４】  取り付け板の左右任意の面に、粘着テープを設ける。取り付け板の粘着テープを付した反対側の面に複数の差込孔を設ける。本体の任意の箇所に切り込みを設け、高さ調整板を差し込む。取り付け板の差込孔の位置に合う状態で、本体の任意の箇所に複数の差込フックを設ける。本体の任意の箇所に、蝶番を介して開閉ドアを設ける。本体に高さを調整する伸縮孔を設け、高さ調整板の任意の箇所に調整板孔を設ける。本体の伸縮孔と高さ調整板の調整孔を連体させる伸縮板固定具を設ける。引き戸、襖等に取り付けして、ペットが自由に通過できる。
以上を特徴とするペット用ドアパネルである。
【発明の効果】
【０００５】  取り付けや取り外しが容易であり、かつ、ペット等が複数の部屋へ移動しても自由に出入りが出来るようになる。
部屋の一部を壊すこともなく、希望の場所へ複数取り付けられる。
冷暖房効果も従来と同じであり又、パネルを必要としない場合は完全に取り付け前と同じ状態に復元できる。
支柱又は、引き戸、襖等任意の箇所に取り付けが可能である。
【発明を実施する為の最良の状態】
【０００６】以下、本発明の実施の形態について説明する。
（イ）縦長状の取り付け板（１）の裏面の任意箇所に粘着テープ（２）を設け、表面に複数の差し込み孔（３）（３）を設ける。
（ロ）内部を中空とし上面を開口部（１０）とした縦長の函体からなる本体（４）の一側面に下方へ突出させた差込フック（６）（６）を複数設ける。
（ハ）本体（４）の両側面の対向する位置に、開口部（１０）より下方へ縦状の切り込み（５）（５）を設ける。
（ニ）本体（４）の正面の中央上方に縦長の貫通穴を設け伸縮孔（９）とする。
（ホ）本体（４）の下端に蝶番（７）を介して前後に動く開閉ドア（８）を設ける。
（ヘ）偏平状の高さ調整板（１１）は先端を差し込み片（１４）として両側を差し込みした（１４）より広くした角部（１３）（１３）を設け中央に調整板孔（１２）を貫通させる。
（ト）高さ調整板（１１）は本体（４）の開口部（１０）より差込み、角部（１３）（１３）は切り込み（５）にはまり上下にスライド可能とする。
（チ）本体（４）の伸縮孔（９）と高さ調整孔（１２）を貫通して伸縮固定具（１５）で留める。
本発明は以上の構成よりなるので使用するときは、図５に示すように、次のようにする。
取り付け板（１）の粘着テープ（２）により支柱（１６）に固定する。次に、本体（４）の差込フック（６）（６）を差し込み孔（３）（３）に差し込み、本体（４）を取り付け板（１）に固定する。このとき、開閉ドア（８）の下端が床の少し上方に位置するようにする。
高さ調整板（１１）の上辺は引き戸（１７）の梁（１９）に接合させる。また本体（４）は支柱（１６）と引き戸（１７）に挟まれるようにする。したがって、猫等のペットは本体（４）の下方に設けられた開閉ドア（８）により自由に通過できる。
【図面の簡単な説明】
【０００７】
【図１】本発明の斜視図
【図２】本発明の斜視図
【図３】本発明の正面図
【図４】本発明の図３を合体した正面図
【図５】本発明の実施例を示す正面図
【符号の説明】
【０００８】１      取り付板
２      粘着テープ
３      差込孔
４      本体
５      切り込み
６      差込フック
７      蝶番
８      開閉ドア
９      伸縮孔
１０    開口部
１１    高さ調整板
１２    調整板孔
１３    角部
１４    差し込み片
１５    伸縮板固定具
１６    支柱
１７    引き戸
１８    取手
１９    梁
【図１】
2008274721.tif 000003
【図２】
2008274721.tif 000004
【図３】
2008274721.tif 000005
【図４】
2008274721.tif 000006
【図５】
2008274721.tif 000007
(57)【要約】【課題】  各種土木工事に使用されているフトン篭の各パネル同士の連結に使用されているコイルによる連結の作業の困難な点と、作業能率の悪さを改善して、より簡単に連結出来ると共に作業効率を向上させる。【解決手段】  連結リング１の重複部分を、連結リング取付器具のくさび２にプッシャー３により押込んで開かせパネル同士の枠線に被せ、更にプッシャ−で押し出して連結する。【選択図】図２
2008274735.tif 000002
【特許請求の範囲】
【請求項１】
金網と枠線からなるフトン篭のパネル同士の連結において、連結リングによる連結を特徴とするフトン篭の連結構造。
【請求項２】
前記連結リングは、Ｏ型のリングの片方の円弧部部分を重複させ，重複部分をくさびに押込んで開いて取付することを特徴とする請求項１記載のフトン篭連結構造。
【請求項３】
前記連結リングの取付には、連結リングの重複部分をくさびに押込んで開かせ、さらに押し込み押出してパネル同士の枠線を連結する先端構造を特徴とする連結リング取付器具よる連結リング取付を付加してなる請求項１および請求項２記載のフトン篭連結構造
【発明の詳細な説明】
【技術分野】
【０００１】  本発明は、フトン篭のパネル同士を連結するリングと、これの取付方法に関するものである。
【背景技術】
【０００２】  従来のフトン篭は、図６，図８に示すようににフトン篭を構成する各パネルをコイルによって連結する構造が一般的となっているが、次のような欠点がある。【０００３】  第一に、長いコイルを人力で回転させながら取付するので、特に底網および上網パネルと側網パネルの連結は屈み込んで窮屈な姿勢で、コイルを取付けしなければならない点である。【０００４】  第二に、詰石後の連結では詰石が支障となりコイル取り付け困難な箇所があり作業効率が悪い点である。【０００５】  第三に、角型のフトン篭の側面端部にコイルがはみ出て隣接篭とが密着しないので隣接の篭同士の連結が容易でない点と、また、出来栄えが悪い点である。【０００６】  第四に、河川護岸では施工後にフトン篭の端部にはみ出したコイルにゴミや流木が引っかかり法面の美観を損なう可能性がある点である。
【特許文献】  特開  ２００５−２２３４８
【発明の開示】
【発明が解決しようとする課題】
【０００７】  解決する課題は、無理のない姿勢で作業でき作業効率を向上させることと、篭のパネル同士の連結後のはみ出しも、コイルによる連結に比べ少なくできることにある。
【課題を解決するための手段】
【０００８】  この課題を解決するための請求項１および請求項２の発明は、図１に示すように連結リングは片側の円弧部分を重複させたＯ型のリングとし、前記重複部分が開ける構造とする。【０００９】  また、前記連結リングは重複部分をくさびに押し込んで開いて、くさびより押し出した後に元の形に復元するように弾性体の素材とする。【００１０】  請求項３の発明は、前記連結リングを簡単に取付けるためのもので、図３，図４に示すようにフレーム４の先端をフトン篭の枠線５を挟み込めるように開放し、そのフレームの両側にくさび２を取り付け、このくさびに連結リング１の重複部分をプッシャー３により押し込んで開かせ、更に押し込んでくさびより押し出す構造とする。
【発明の効果】
【００１１】  本発明は各種土木工事に使用されるフトン篭の連結を連結リングにより、楽な姿勢で各パネル同士の連結が行え作業効率を向上させることが可能となる。
【発明を実施するための最良の形態】
【００１２】  本発明に使用する連結リングの形状は三角形型でも良い、又、素材の断面は円形でも板状でも良く、連結リングの重複部分をくさびに押し込んで開かせた後に元の形に復元できるような弾性体の素材とする。【００１３】  連結リングの取付位置は取付後の移動をなくするように、図２に示すように枠線と金網の交点に取付ける。【００１４】  連結リングの引張り強度を金網の交点強度より大きいものにすることにより、連結リングの取付個数は篭の組立に支障がない限りの枠線と金網の交点の数より少なくすることが出来る。【００１５】  連結リングの取付の実施形態は図５に示すように（ａ）連結リングの重複部分を連結リング取付器具のくさびの先端に合せて装着する。（ｂ）プシャーにより連結リングをくさびに押し込み連結リングの重複部分を開かせる。（ｃ）さらにプッシャーにより連結リングの重複部分がくさびより外れるまで押し込むことにより、連結リングが連結リング取付器具のくさびより弾き出される反動で回転して枠線に被さるようになり連結できる。【００１６】  連結リング取付器具の先端構造部のプッシャーの押し戻しは、てこの原理を応用した手動式でも良いが、電動ドリル等の工具に装着して、プッシャーの押し戻しをモーターの回転力を伝達装置を介して行えるようにし、また、連結リングもカセットに装着して連続で取付できるようにすることで、作業効率をより向上させることができる。
【図面の簡単な説明】
【００１６】
【図１】  連結リングの斜視図である。
【図２】  連結リングによる連結を示す角形フトン篭の部分斜視図である。
【図３】  連結リング取付器具の先端構造を示す部分平面図である。
【図４】  連結リング取付器具の先端構造を示す部分縦断面図である。
【図５】  連結リング取付の実施形態を示す概略の斜視図である。
【図６】  従来の角形フトン篭におけるコイルの利用状態を示す図である。
【図７】  従来の角形フトン篭におけるコイルの利用状態を示す部分斜視図である。
【図８】  従来の平張フトン篭における底網と側網とのコイルの利用状態を示す図である。
【符号の簡単な説明】
【００１７】  １  連結リング
２  くさび
３  プッシャー
４  フレーム
５  枠線
６  金網
７  コイル
【図１】
2008274735.tif 000003
【図２】
2008274735.tif 000004
【図３】
2008274735.tif 000005
【図４】
2008274735.tif 000006
【図５】
2008274735.tif 000007
【図６】
2008274735.tif 000008
【図７】
2008274735.tif 000009
【図８】
2008274735.tif 000010
(57)【要約】      （修正有）【課題】津波被害の予測がなされる中で、観光地に於いては風光明媚を阻害される堤防のかさ上げは観光地によっては死活問題です。半世紀に一度、百年に一度と云われる大地震時の津波に対処する為に堤防のかさ上げ等は観光地によっては許されません。更に、安全対策を放置すれば、人は来なくなります。【解決手段】その問題を解決するには堤防を回転・浮上式を採用する他に解決の手だてはありません。堤防のかさ上げ必要部分を水平な回転・浮上式プラットフォーム型にすれば、眺望上も安全上も解決します。津波の力を利用して自然に回転・浮上すれば問題は解決します。更に、観光地に於いてはプラットフォームは、快適空間をもたらします。【選択図】図４
2008274733.tif 000002
【特許請求の範囲】
【請求項１】
国内での津波の被害の恐ろしさが実感として希薄な中で、海外での津波の被害の恐ろしさがＴＶを通じて実感させられています。
一方、新聞には津波対策・日本も課題、堤防高さ不足２割、災害地図なし９割、国土交通省、点検・改修強化へと報道されています。
既存の堤防の上にも可能で、眺望を損なわずに、津波の際に津波の力で回転して自ら津波の被害を防御する回転・浮上式堤防。
【請求項２】
プラットフォーム状の回転式堤防の先端の手摺りを斜めにして、津波の力を回転・立ち上がり作用の力に転換する。
【請求項３】
プラットフォーム状の回転式堤防の下部に耐久性があり、緩衝性が高く、比重の少ない材料を構造的に支障の無い隙間にはめ込み、緩やかな海面上昇に対しても浮力で海面上昇に合わせて回転して浮上する。
緩衝材は津波の衝撃力の緩和にも役立つ。回転時には強い衝撃を受ける事があり、ショックアブソーバーも設置する。
尚、パネル両端のヒンジ側の受け柱以外にも巾が広い場合には中間受け柱を設ける。何れの受け柱も、立ち上がり時の安定性と衝撃力を幾分流して緩和する為にも多少、内側に斜めにする。
平時用に復旧するには重機にて、フックを付けておいて対応。
津波対策以外の水位上昇への対策が必要な場合等に対しては、斜め受け柱側にはパネルとの接点に漏水止めを兼ねたクッションを取り付ける。パネルとパネル間及び堤防とパネル間にも漏水止めにクッション材を取り付ける。
【発明の詳細な説明】
【技術分野】
【０００１】本発明は特に古くからある観光地等では眺望の為に堤防の高さが成約される為に常時はフラットでかさ上げ状態にせず，プラットフォーム状態にして災害時のみ自然力で回転浮上する堤防。
【背景技術】
【０００２】古くからある観光地等では、観光上堤防が低めがちに高さが抑えられている感もあり、昨今の予測技術の進歩で津波の重大危険が予測され、対応に苦慮している。
【発明が解決しようとする課題】
【０００３】観光地等では特に眺望的にも、既存の堤防をかさ上げ等して高くは出来ないが、危険が指摘されている地域では、観光客が来なくなりやすい。そこで、堤防を高くせずに、常時はプラットフォーム状にしておき、津波の際には津波の力で回転浮上する堤防が解決策となる。
【課題を解決する為の手段】
【０００４】堤防の高さを抑えたい高さと必要高さとの差の部分を回転浮上式の堤防とする。
【発明を実施する為の最良の形態】
【０００５】請求項に示した手法で、眺望的に高く出来ない、新規・既存の堤防に於いて当回転・浮上式の堤防建設手法を探用すれば津波、海面上昇に対して眺望を損なう事なく安全を確保出来る。
【発明の効果】
【０００６】津波の危険予知が公表されている観光地では堤防をかさ上げすれば伝統の風光明媚が損なわれ、堤防をかさ上げせずプラットフォーム化すれば観光用デッキとして、デメリットをメリットに変えられ、その上、安全が確保されます。
【図面の簡単な説明】
【図１】断面図
【図２】立面図
【図３】平面図
【図４】斜視図
【符号の説明】
１．回転式プラットフォーム型堤防      ２．母体の堤防
３．回転式堤防を支える母体側のブラケット
４．母体の堤防と回転式プラットフォーム型堤防とを結ぶヒンジン
５．回転式堤防の津波による衝撃を和らげ、且つ海面上昇に合わせて浮上させる為の緩衝材兼浮力材
６．回転式堤防の津波の力を活用する斜めの手摺り
７．回転式堤防を回転時に受ける斜めメイン柱
８．ショックアブソーバー    ９．回転式堤防を回転時に受ける斜め中間柱
１０．海側の地盤      １１．陸側の地盤
【図１】
2008274733.tif 000003
【図２】
2008274733.tif 000004
【図３】
2008274733.tif 000005
【図４】
2008274733.tif 000006
(57)【要約】【課題】  本発明は、蒸気量を適正に分配することができ、さらに、分岐部の圧力損出も少なくすることができる構造を有する蒸気タービン気筒分岐管を提供することを目的とする。【解決手段】  高圧又は中圧タービンの車室出口２ａ，２ｂから流出する蒸気が気筒連絡管（本流管）１を介して少なくとも２車室以上の低圧タービン車室入口部（第一低圧タービン車室入口３ａ，第二低圧タービン車室入口）へ蒸気を供給する構造を持つ蒸気タービンにおいて、分岐管を下流側に傾斜させて設け、また、分岐部４に補強板５を設け、この補強板を蒸気通路側に突出させるように構成する。分岐部の面積割合を本流側φｄ１と分流側φｄ２が略同一になるように補強板５の突出長さＬと傾斜角度αを設定する。【選択図】図２
2008274817.tif 000002
【特許請求の範囲】
【請求項１】
高圧又は中圧タービンの車室出口から流出する蒸気を少なくとも２車室以上の低圧タービンの入口部へ導く蒸気タービン気筒連絡管であって、
前記蒸気タービン気筒連絡管は本流管と分岐管から構成され、前記分岐管は前記本流管に対して下流側に傾斜して分岐するように設けられ、分岐部の下流側の前記本流管と前記分岐管の接続部に補強板が設けられ、該補強板は蒸気通路側に突出するように設けられていることを特徴とする蒸気タービン気筒連絡管。
【請求項２】
請求項１において、前記本流管は、略水平に配設され、途中に管径を縮小する絞り部を有し、前記分岐管は、前記絞り部に設けたことを特徴とする蒸気タービン気筒連絡管。
【請求項３】
請求項１又は２において、前記分岐部の本流管と分岐管の面積割合を示す、前記補強板の蒸気通路側先端における本流管側の径φｄ１と分流管側の径φｄ２が略等しくなるように、前記補強板の蒸気通路側への突出長さと傾斜角度を設定したことを特徴とする蒸気タービン気筒連絡管。
【発明の詳細な説明】
【技術分野】
【０００１】
本発明は蒸気タービン気筒連絡管に関する。
【背景技術】
【０００２】
蒸気タービンの気筒連絡管では、中圧タービンの最終段出口から排出された蒸気を低圧タービンの複数の車室（低圧部）へ導く。そして、複数の低圧部に導くために分岐部が設けられる。この分岐部は、直角方向に分岐する構造となっている。
【０００３】
なお、高圧タービン又は中圧タービンの車室出口から流出する蒸気を複数の低圧タービンへと導く蒸気タービン気筒連絡管として、例えば特許文献１に記載のものがある。
【０００４】
【特許文献１】特開平１１−２２９８１８号公報
【発明の開示】
【発明が解決しようとする課題】
【０００５】
分岐部が直角方向に分岐する構造となっているため、蒸気が慣性力で直進する方向に流れ易くなっている。このため、複数の低圧部間では蒸気の分配が均等とならず、本流管側に多く流れてしまう。このため、低圧タービンの負荷分配が不均衡となり、タービン全体の効率が低下することになる。また、分岐部は直角方向に分岐しているため、圧力損失も大きくなり、更に効率が低下することになる。
【０００６】
本発明は、蒸気量を適正に分配することができ、さらに、分岐部の圧力損出も少なくすることができる構造を有する蒸気タービン気筒分岐管を提供することを目的とする。
【課題を解決するための手段】
【０００７】
本発明は、蒸気タービン気筒連絡管を本流管と分岐管から構成し、分岐管を本流管に対して下流側に傾斜して分岐するように設け、分岐部の下流側の本流管と分岐管の接続部に補強板を設け、該補強板を蒸気通路側に突出させるようにしたことを特徴とする。
【０００８】
また、本流管の途中に管径を縮小する絞り部を設け、分岐管をこの絞り部に設けたことを特徴とする。
【０００９】
また、補強板の蒸気通路側先端における本流管側の径φｄ１と分流管側の径φｄ２が略等しくなるように、補強板の蒸気通路側への突出長さと傾斜角度を設定したことを特徴とする。
【発明の効果】
【００１０】
本発明によれば、蒸気量を適正に分配することができるようになり、さらに、分岐部の圧力損出も少なくなり、高効率な蒸気タービンが得られる。また、分岐管を傾斜させることに伴う分岐部の応力も低減することができる。
【発明を実施するための最良の形態】
【００１１】
図面を用いて本発明の一実施例を説明する。
【００１２】
図１は、本発明の一実施例である蒸気タービン気筒連絡管の構成を示す図である。本発明は、高圧又は中圧タービンの車室出口から出た蒸気を低圧タービンの複数の車室入口に分配する蒸気タービン気筒連絡管に関するものであるが、本実施の形態では、中圧タービンの車室出口（最終段出口）から流出する蒸気を２つの低圧タービンへと導く場合を代表例として説明する。
【００１３】
中圧タービンの車室出口２ａ，２ｂから流出する蒸気が気筒連絡管（本流管）１を通って分岐部４に達する。本流管は、中圧タービンや低圧タービンの軸とほぼ平行に伸びる直管部となっている。また、本流管は、ほぼ水平に配設された直管部の途中に管径を縮小する絞り部を有しており、絞り部よりも上流側の大径部と絞り部よりも下流側の小径部とにさらに分けられる。小径部はその管中心線が大径部の管中心線よりも上方に偏心しており、本実施の形態において大径部と小径部は、上方側の管壁がほぼ一直線状となるように絞り部を介して連接されている。
【００１４】
蒸気は、分岐部で第一低圧タービンと第二低圧タービンに分配される。本実施例では分岐部が絞り部に設けられている。分岐部では、分岐管が本流管の下方に設けられ、また、下流側に傾斜するように本流管に接続されている。この傾斜角度は、４５度から６０度の範囲で角度を持たせることにより、気筒連絡管の分岐部で主流と分流に蒸気量の分配を均等にすることができる。分配された蒸気の分流は第一低圧タービン車室入口３ａへ、本流は第二低圧タービン車室入口３ｂへと流れる。ここで、第一低圧タービンの前に設けられた分岐部４には、分岐部の補強のための補強板５が設けられている。
【００１５】
図２は分岐部の拡大したもので、補強板５は分岐する管ａとｂが交差する部分に傾斜角度αを設けて設置する。さらに補強板は蒸気通路側に突出させている。補強板の突出長さＬは、補強板の先端位置において、本流管ａと分流管ｂの面積がほぼ等しくなるよう（φｄ１≒φｄ２）に設定する。
【００１６】
気筒連絡管の分岐部で分岐管を本流管に対して傾斜させて設けた場合、分岐部の管形状が楕円となる。このため、圧力が加わった場合、真円になろうと変形し、曲げ半径の小さい部分に応力集中が発生する。この応力を低減するために補強板を設けている。さらに、この補強板を流路側に突出させることにより、分流側の蒸気量が制御できるようになる。すなわち、突出させた補強板の傾斜角度αを大きくすると分流側の蒸気量は増加し、小さくすると分流側の蒸気量は減少する。また、分岐部の流れが円滑になり圧力損失も小さくなる。
【図面の簡単な説明】
【００１７】
【図１】本発明の一実施例である蒸気タービン気筒連絡管の構成を表す図である。
【図２】本発明の分岐部の詳細図である。
【符号の説明】
【００１８】
１  気筒連絡管（本流管）
２ａ，２ｂ  中圧タービンの車室出口
３ａ  第一低圧タービン車室入口
３ｂ  第二低圧タービン車室入口
４  分岐部
５  補強板
【図１】
2008274817.tif 000003
【図２】
2008274817.tif 000004
(57)【要約】【課題】複雑な緊張方法を採用せず、簡単な方法によって、長さの異なるＰＣ鋼線を緊張する方法を提供する。【解決手段】アンカー孔内に複数個の定着具と、各定着具に取り付けたＰＣ鋼線を挿入して、その後に緊張する工法である。アンカー孔内部において定着具の位置を異ならせて配置する。アンカー孔内に硬化材を注入し、硬化材が硬化した後に、定着具ごとに取り付けた長さの異なるＰＣ鋼線に対して、アンカー孔の外部において、まず伸びの差分を緊張する。その後、すべてのＰＣ鋼線を同時に緊張する。【選択図】図１
2008274596.tif 000002
【特許請求の範囲】
【請求項１】
アンカー孔内に複数個の定着具と、
各定着具に取り付けたＰＣ鋼線を挿入して、その後に孔内を硬化して緊張する工法であって、
アンカー孔内部において定着具の位置を異ならせて配置し、
アンカー孔内に硬化材を注入し、硬化材が硬化した後に、
定着具ごとに取り付けた長さの異なるＰＣ鋼線に対して、
アンカー孔の外部において、まず伸びの差分を緊張し、
その後、すべてのＰＣ鋼線を同時に緊張して行う、
アンカー工法。
【発明の詳細な説明】
【技術分野】
【０００１】
本発明は、アンカー工法に関するものである。
【背景技術】
【０００２】
複数個の定着具を、その位置を異ならせてアンカー孔内に配置し、モルタルの硬化後にアンカー孔外においてＰＣ鋼線を緊張する工法が知られている。
その場合に定着具の位置が異なれば、各固定具に取り付けたＰＣ鋼線の長さも異なったものとなる。
そのために、アンカー孔の外ですべてのＰＣ鋼線を同時に緊張すると短いＰＣ鋼線はすぐに緊張力が作用し、長いＰＣ鋼線はたるんだままである、といった問題が発生する。
そこで複数のＰＣ鋼線を順次緊張するような工法（特許文献１）、最深部に位置するものから最浅部に位置するものになるにしたがって順次小さくなるように緊張する工法（特許文献２）、あるいは複数本のＰＣ鋼線の延びの差分をまず緊張し、その後に長い順から所定の緊張力により緊張する工法（特許文献３）などが知られている。
【特許文献１】特公平５−３０９３２号公報。
【特許文献２】特許第２５３９３１９号公報。
【特許文献３】特許第２６５５８２０号公報。
【発明の開示】
【発明が解決しようとする課題】
【０００３】
本発明は、前記したような複雑な緊張方法を採用せず、簡単な方法によって、長さの異なるＰＣ鋼線を緊張する方法を提供するものである。
【課題を解決するための手段】
【０００４】
上記のような課題を解決する本発明のアンカー工法は、アンカー孔内に複数個の定着具と、各定着具に取り付けたＰＣ鋼線を挿入して、その後に緊張する工法であって、アンカー孔内部において定着具の位置を異ならせて配置し、アンカー孔内に硬化材を注入し、硬化材が硬化した後に、定着具ごとに取り付けた長さの異なるＰＣ鋼線に対して、アンカー孔の外部において、まず伸びの差分を緊張し、その後、すべてのＰＣ鋼線を同時に緊張して行うアンカー工法を特徴としたものである。
【発明の効果】
【０００５】
本発明のアンカー工法は以上説明したようになるから、簡単な作業手順によって、長さの異なる、すなわち延びの量の異なる複数本のＰＣ鋼線を確実に緊張することができる。
【発明を実施するための最良の形態】
【０００６】
以下図面を参照にしながら本発明の好適な実施の形態を詳細に説明する。
【実施例】
【０００７】
＜１＞前提条件。
本発明は、アンカー孔１内に複数個の定着具２と各定着具２に取り付けたＰＣ鋼線３（テンドン）を挿入して、その後に孔内に硬化材を注入して硬化させ、緊張する工法に関するものである。
【０００８】
＜２＞定着具の分散配置。
複数の定着具２は、アンカー孔１内部においてその設置する位置を異ならせて配置してある。
各定着具２の位置が異なれば、その定着具２から孔口までの距離が異なるから、その定着具２に取り付けた各ＰＣ鋼線の長さも異なる。
すると前記したように、長さの異なるＰＣ鋼線３は、各々その延びの量が異なる。
したがってすべてのＰＣ鋼線３をまとめて一度に緊張すると、すぐに短いＰＣ鋼線３が緊張するが、一方では長いＰＣ鋼線３はまだ緩んだままである、という現象が発生してしまう。
【０００９】
＜３＞伸びの差分の明示。
長さの異なるＰＣ鋼線３は、そのアンカー孔１外への露出部分に色分けしたビニールテープを巻きつけるなどして、孔外においても、どの位置に配置した定着具２のＰＣ鋼線３であるか、明確に分かるようにしておく。
したがって、各ＰＣ鋼線３の長さは孔外において判別でき、かつ複数本のＰＣ鋼線３において、最短ＰＣ鋼線３と比較した場合の伸びの差分が計算上で分かっている。
このようなＰＣ鋼線３の孔外の露出部分をジャッキ４で把持する。
【００１０】
＜４＞硬化材の注入。
最も長いテンドンに沿わせて硬化材の注入ホースを取り付けておく。
そしてすべてのテンドンをアンカー孔１内に挿入した後に、注入ホースを通して孔外からモルタルなどの硬化材をアンカー孔１内に注入して硬化させる。
【００１１】
＜５＞伸びの差分の緊張。
アンカー孔１内で硬化材が硬化したら、各ＰＣ鋼線３ごとに、計算された伸びの差分だけをジャッキ４によって緊張する。
前記したように、長さの異なるＰＣ鋼線３は、それぞれその伸び量が異なるから、１本ごとに所定量だけ引っ張って緊張する。
その場合にジャッキ４としてクサビで把持するセンターホールジャッキ４を使用すれば、所定のＰＣ鋼線３だけをクサビで把持し、他のＰＣ鋼線３は把持しない状態でジャッキ４を引き上げる。
すると目的のＰＣ鋼線３だけに対して、所定の寸法だけ緊張することができるから、ジャッキ４の台座側のクサビを使用して、１本のＰＣ鋼線３ごとに、所定量だけ緊張した状態を維持する。
こうして複数本のＰＣ鋼線３に対して順次、計算された所定の長さだけ緊張して複数本のＰＣ鋼線３の間で伸びの差がないように調整する。
【００１２】
＜６＞同時緊張。
こうして長さの異なるＰＣ鋼線３に対して、伸びの差分を緊張して調整が終わったら、その後にすべてのＰＣ鋼線３を同時に緊張する。
その場合にはすべてのＰＣ鋼線３を１台のジャッキ４の挿入孔を貫通させ、ジャッキ４を外向きに引き上げることによって、多数本のＰＣ鋼線３を同時に同じ緊張力によって緊張することができる。
あるいは複数のジャッキ４を使用する場合には、すべてのジャッキ４の油圧経路を共通させて緊張力を与えて、ジャッキ４間の緊張力に差が生じないようにして緊張を行う。
こうして簡単な方法によって長さの異なるＰＣ鋼線３に均一な緊張力を与えて品質のよいアンカーを設置することができる。
【図面の簡単な説明】
【００１３】
【図１】本発明のアンカー工法の実施例の説明図
【符号の説明】
【００１４】
１：アンカー孔
２：定着具
３：ＰＣ鋼線
４：ジャッキ
【図１】
2008274596.tif 000003
(57)【要約】【課題】１枚の表面材が複数の接着部により樹脂マットと接着されたユニット床材において、１枚の表面材内で、温度変化により生じる樹脂マットの膨張・収縮力を吸収することができるユニット床材を提供することを課題とする。【解決手段】樹脂マット上に表面材を接着したユニット床材において、１枚の表面材が複数の接着部により樹脂マットと接着される構造を有し、１枚の表面材内の隣り合う接着部同士の間に少なくとも１箇所の屈曲箇所を形成したことを特徴とするユニット床材。【選択図】  図１
2008274576.tif 000002
【特許請求の範囲】
【請求項１】
樹脂マット上に表面材を接着したユニット床材において、１枚の表面材が複数の接着部により樹脂マットと接着される構造を有し、１枚の表面材内の隣り合う接着部同士の間に少なくとも１箇所の屈曲箇所を形成したことを特徴とするユニット床材。
【請求項２】
樹脂マットの枠体と接着部の間に少なくとも１箇所の屈曲箇所を形成したことを特徴とする請求項１記載のユニット床材。
【請求項３】
該屈曲箇所が底壁と立壁からなり、底壁と垂直方向の断面が略コの字形状であることを特徴とする請求項１または２記載のユニット床材。
【発明の詳細な説明】
【技術分野】
【０００１】
本発明は、ベランダ、バルコニー、テラス等に敷設されるユニット床材組立体に関するものである。
【背景技術】
【０００２】
住宅等のバルコニー、ベランダ、テラス等に、美観の向上を目的とし、互いに連結して敷設されるユニット床材が好適に用いられる。
【０００３】
この種のユニット床材は陶磁器質タイル、天然木材、合成木材等の表面材と樹脂マットを接着剤や金属ビス等の接着手段によって接着されたものが一般的である。
【０００４】
上記、樹脂マットを形成する合成樹脂は、寒暖の温度差により収縮・膨張するため、その際に生じる応力（以下、収縮・膨張力という）が表面材と樹脂マットを固定する接着部に集中し、接着部が破壊し表面材と樹脂マットが剥がれるといった不具合が生じていた。
【０００５】
上述の問題を改善する手段として、ユニット床材を構成するブロック連結部間に底壁と立壁からなる屈曲箇所を設け、寒暖の温度差により生じる樹脂マットの収縮・膨張力を吸収する緩衝構造が開示されている（特許文献１参照）。
【０００６】
しかし、この緩衝構造では、ブロック連結部近傍の接着部にかかる樹脂マットの収縮・膨張力を吸収することができるが、１枚のブロック内で生じる樹脂マットの収縮・膨張力は吸収することはできない等の問題があった。
【特許文献１】特許第３２４２３５４号公報
【発明の開示】
【発明が解決しようとする課題】
【０００７】
本発明は、かかる従来技術の欠点を解消し、１枚の表面材内で、寒暖の温度差により生じる樹脂マットの収縮・膨張力を吸収するユニット床材を提供することを目的とする。
【課題を解決するための手段】
【０００８】
すなわち本発明は、樹脂マット上に表面材を接着したユニット床材において、１枚の表面材が複数の接着部により樹脂マットと接着される構造を有し、１枚の表面材内の隣り合う接着部同士の間に少なくとも１箇所の屈曲箇所を形成したことを特徴とするユニット床材である。
【発明の効果】
【０００９】
本発明によれば、１枚の表面材内で接着部にかかる樹脂マットの膨張・収縮力を吸収することが可能となり、接着部が破壊し表面材と樹脂マットが剥がれるといった不具合が生じないユニット床材を提供することができる。
【発明を実施するための最良の形態】
【００１０】
図１は本発明のユニット床材の一実施例を示し、（Ａ）は表面図、（Ｂ）は底面図、（ｃ）は断面図である。本発明のユニット床材は、樹脂マット１上に表面材２を接着したユニット床材であり、１枚の表面材２が複数の接着部３により樹脂マット１と接着される構造を有し、１枚の表面材内の隣り合う接着部同士の間に屈曲箇所４を形成することが必須である。
【００１１】
ここで、屈曲箇所４を形成する位置について、図２を用いて詳細に説明する。本発明で言う隣り合う接着部同士とは、樹脂マットの格子部５を介して連続する接着部同士であり、例えば、左上の接着部３Ａから見た場合、その右隣部３Ｂ、下部３Ｃおよび対角線上の３Ｄが隣り合う接着部同士にあたる。当該隣り合う接着部同士の少なくとも１箇所に屈曲箇所が形成されていれば本発明の効果を達成するこができるが、全ての隣り合う接着部間に屈曲箇所が設けられていることがより好ましい形態であると言える。
【００１２】
本発明では、上記隣り合う接着部間に加え、図３に示すように樹脂マット１の枠体６と格子部５を介して連続する接着部の間の少なくとも１箇所に屈曲箇所を形成することが、枠体６の膨張・収縮力を吸収することができる上で好ましく、さらに全てに形成することがより好ましいと言える。
【００１３】
本発明で言う屈曲箇所とは、図４に示すとおり、底壁と立壁からなり、底壁と垂直方向の断面が略コの字形状であること好ましい。当該屈曲箇所は、ユニット床材を敷設した周囲の温度が上昇し樹脂マットが膨張した場合、コの字開口部が収縮し当該樹脂マットの膨張分を吸収する作用を有する（図４（Ａ））。逆に周囲温度が低下し樹脂マットが収縮した場合、コの字開口部が伸長し当該樹脂マットの収縮分を吸収する作用を有する（図４：（Ｂ））。
【００１４】
当該屈曲箇所の形状については、図５に示すように階段状、二股バネ状等の屈曲箇所が樹脂マットの格子部と同一平面に形成されていても、接着部にかかる樹脂マットの寸法膨張・収縮力を吸収できることから、本発明の効果を達成することができる。
【００１５】
本樹脂マットに用いる合成樹脂としては例えば、ポリエチレン、ポリプロピレンなどのオレフィン系樹脂、これらの共重合体、ＥＶＡ（エチレン−酢酸ビニル共重合体）、ＡＢＳ（アクリロニトリルブチレンスチレン共重合体）、ＡＳＡ（アクリル酸エステル共重合体）等の熱可塑性樹脂を挙げることができ、表面材については、タイル、天然木材、合成木材等を用いることができる。また、これら樹脂マットと表面材を接着する接着剤については、エポキシ系接着剤、ウレタン系接着剤、ホットメルト系接着剤等特に限定されることなく、表面材の材質に応じて選定することができる。
【図面の簡単な説明】
【００１６】
【図１】本発明のユニット床材の一実施例を示し、（Ａ）は平面図、（Ｂ）は底面図、（Ｃ）は断面図である。
【図２】本発明のユニット床材の要部を示す側面図である。
【図３】本発明のユニットユニット床材の好ましい形態を示す底面図である。
【図４】本発明のユニット床材の作用を示し、（Ａ）は樹脂マットが膨張した状態、（Ｂ）は樹脂マットが収縮した状態を示す。
【図５】本発明のユニット床材要部の好ましい形態を示す拡大図である。
【符号の説明】
【００１７】
１  樹脂マット
２  表面材
３  接着部
４  屈曲箇所
５  格子部
６  枠体
【図１】
2008274576.tif 000003
【図２】
2008274576.tif 000004
【図３】
2008274576.tif 000005
【図４】
2008274576.tif 000006
【図５】
2008274576.tif 000007
(57)【要約】【課題】  ホッカイロを入れることができるポケット付リストバンドを提供する。【解決手段】  リストバンド内側にポケットを設け、ポケットへホッカイロを入れ手首に装着することにより、手首や手の保温効果をあげる。【選択図】図１
2008274507.tif 000002
【特許請求の範囲】
【請求項１】
リストバンドの内側にポケットを設け、ポケット内へホッカイロを入れれることを特徴とするリストバンド。
【発明の詳細な説明】
【技術分野】
【０００１】  本発明は、リストバンド装着時に手首を保温することを目的とするポケット付リストバンドに関するものである。
【背景技術】
【０００２】  リストバンドだけでは保温効果が少ない為。
【発明の開示】
【発明が解決しようとする課題】
【０００３】  冬季期間におこる手首の冷え、衣類の袖口からの寒気の侵入。
本発明は以上の問題点をリストバンドを利用し解決しようとするものである。
【課題を解決するための手段】
【０００４】  リストバンドの内側にポケットを設け、ポケットにホッカイロを入れる。以上を特徴とするポケット付リストバンド。
【発明の効果】
【０００５】  冬季期間におこる手首の冷え、衣類の袖口からの寒気の侵入を防ぐ。又、手や指先の冷えを防ぐことも期待できる。
【発明を実施するための最良の形態】
【０００６】  以下、本発明の実施の形態を説明する。
（イ）リストバンド内側にポケットを設ける。
（ロ）ポケットへホッカイロを入れる。
本発明は以上の構成によりなっている。
本発明を使用する時は手首にリストバンドを装着する。
【図面の簡単な説明】
【０００７】
【図１】本発明の斜視図
【図１】
2008274507.tif 000003
(57)【要約】      （修正有）【課題】ヘルメット内部にモーターファンを設け、強制的に風を得て頭部、顔部へ当てるものをもうける。【解決手段】ヘルメット外部、適部に穴３があって、内部にモーターファン１とフェンス２が固定されており、外部、適部にＳＷ４、バッテリ、電圧チェック５を持ち、容易に通風と爽快感を得られる。【選択図】図１
2008274508.tif 000002
【特許請求の範囲】
通空を有する穴あきヘルメットあって、ヘルメット外部、適部に電池、電圧チェック保持とＳＷを設ける。
さらにヘルメット内部にモーターファンと頭の安全を得る為フェンスを設ける。
【発明の詳細な説明】
【技術分野】この発明は産業、一般ヘルメットの使用時にヘルメット内部の頭汗、顔汗の汗眩の不快感を風圧によって発汗、爽快感を得るものである。
【背景技術】従来のヘルメットは上部、側部に通気穴を設けてヘルメット内部の高温熱、湿気のための蒸暑を自然に換気するものであった。
【発明が解決しようとする課題】
上述の如く、従来技術の穴あきヘルメットは、穴から自然に熱、湿気などが通気するものであり、それだけでは、熱、湿気を排出するのが不十分であり、汗眩を取り除くのは難しい。その為汗の不快感があり、又集中力が落ちたりして、作業効率が下がることが多い。
【発明の効果】
上記に鑑みて、本発明は成すものであり、この目的はヘルメット内部の強制通風機能を持たせることである。容易に風圧によって、頭汗、顔汗の不快、蒸暑などを気化熱の作用によって緩和するものである。
【発明を実施するための最良の形態】
【０００１】ヘルメット外部、上部、後部、適部にいくつかの通風孔を設けて空気を通りやすくする。【０００２】ヘルメット内部にモーターファンを設ける。【０００３】ヘルメットつばさ又は適部にスイッチを設けて容易にいつでもモーターファンを作動するようにする。【０００４】ヘルメット外部、適部に太陽電池、電池、その他電源、電圧チェックを設ける。【０００５】モーターファンと頭部の接触を避ける為フェンスを設ける。
【図１】
2008274508.tif 000003
【図２】
2008274508.tif 000004
【手続補正書】
【提出日】平成19年11月1日(2007.11.1)
【手続補正１】
【補正対象書類名】明細書
【補正対象項目名】全文
【補正方法】変更
【補正の内容】
【発明の詳細な説明】
【技術分野】この発明は産業、一般ヘルメットの使用時にヘルメット内部の頭汗、顔汗の汗眩の不快感を風圧によって発汗、爽快感を得るものである。
【背景技術】従来のヘルメットは上部、側部に通気穴を設けてヘルメット内部の高温熱、湿気のための蒸暑を自然に換気するものであった。
【発明が解決しようとする課題】
上述の如く、従来技術の穴あきヘルメットは、穴から自然に熱、湿気などが通気するものであり、それだけでは、熱、湿気を排出するのが不十分であり、汗眩を取り除くのは難しい。その為汗の不快感があり、又集中力が落ちたりして、作業効率が下がることが多い。
【発明の効果】
上記に鑑みて、本発明は成すものであり、この目的はヘルメット内部の強制通風機能を持たせることである。容易に風圧によって、頭汗、顔汗の不快、蒸暑などを気化熱の作用によって緩和するものである。
【発明を実施するための最良の形態】
【０００１】ヘルメット外部、上部、後部、適部にいくつかの通風孔を設けて空気を通りやすくする。【０００２】ヘルメット内部にモーターファンを設ける。【０００３】ヘルメットつばさ又は適部にスイッチを設けて容易にいつでもモーターファンを作動するようにする。【０００４】ヘルメット外部、適部に太陽電池、電池、その他電源、電圧チェックを設ける。【０００５】モーターファンと頭部の接触を避ける為フェンスを設ける。
【図面の簡単な説明】
【図１】ヘルメットの中央にモーターファンを固定してある．通風孔を容易にする為、いくつか設ける。
【図２】モーターファンから頭部の安全の為．中央深部に設けてある。
【符号の説明】
１  モーターファン
２  フェンス
３  通気孔
４  スイッチ
５  太陽電池・電池・電圧チェック